(57)【要約】【課題】ハードウェア規模が増大することなく、複数の種別の記録媒体に対して情報を記録又は再生が可能な情報記録再生装置を提供する。【解決手段】装着された光ディスク１１４の種別（例えば、ＤＶＤかＢＤ等）を判別し、光ディスク１１４の種別に対応するプログラムに従ってリコンフィギュアラブル回路１０６内の複数の論理回路の構成を変更する。これにより、光ディスクの種別に対応する変調・復調回路やエラー訂正回路を構築し、ハードウェア規模を増大することなく、複数種別の光ディスクに対応して異なる方式の変調・復調回路やエラー訂正回路を構築することが可能となる。【選択図】図１
2007141310.tif 000002
【特許請求の範囲】
【請求項１】
情報記録媒体に情報を記録又は再生するための変調・復調処理又はエラー訂正処理を行い、且つ、前記記録媒体の種別に対応して変調・復調方式又はエラー訂正方式を変更することが可能な複数の論理回路を有するリコンフィギュアラブル回路と、
前記記録媒体の種別を判別する手段と、
前記記録媒体の種別に対応して前記リコンフィギュアラブル回路内の変調・復調処理を行う論理回路の構成を示すプログラム又はエラー訂正処理を行う論理回路の構成を示すプログラムを有する記憶手段と、
前記判別手段の判別結果に基づいて前記記憶手段の記録媒体の種別に対応するプログラムを選択し、選択されたプログラムに従い前記リコンフィギュアラブル回路内の複数の論理回路の構成を変更し、前記記録媒体の種別に対応する変調・復調回路、又はエラー訂正回路を構築する手段とを備えたことを特徴とする情報記録再生装置。
【請求項２】
前記判別手段は、前記録媒体の反射率の違いに基づいて記録媒体の種別を判別することを特徴とする請求項１に記載の情報記録再生装置。
【請求項３】
前記判別手段は、前記記録媒体上の物理アドレスの構造の違いに基づいて記録媒体の種別を判別することを特徴とする請求項１に記載の情報記録再生装置。
【請求項４】
前記記憶手段は、外部装置から書き換えが可能であることを特徴とする請求項１〜３のいずれか１項に記載の情報記録再生装置。
【請求項５】
装置の電源がオンしている期間のみ前記記録媒体を収納する媒体収納部を開閉できるように制御する開閉制御手段と、前記電源がオフされた時に前記記録媒体の種別を示す情報を種別記憶手段に記憶させる手段とを含み、前記電源が再度オンされた時には前記判別手段で前記記録媒体の種別を判別することなく、前記種別記憶手段の情報により記録媒体の種別を判別することを特徴とする請求項１〜４のいずれか１項に記載の情報記録再生装置。
【発明の詳細な説明】
【技術分野】
【０００１】
本発明は、光ディスク等の情報記録媒体に情報を記録又は再生する情報記録再生装置、特に、デジタルビデオカメラの画像データ等の記録や再生に好適な情報記録再生装置に関するものである。
【背景技術】
【０００２】
現在、デジタルビデオカメラの記録媒体としては、従来の磁気記録テープから光ディスクが用いられるようになっている。記録容量の点からデジタルビデオカメラに有効な記録媒体としてはＤＶＤやＢlue-ray-Disc（以下ＢＤ）が挙げられる。
【０００３】
ＤＶＤとＢＤを比較すると、記録容量の点ではＢＤが勝るものの、一枚当たりのメディア単価の点ではＤＶＤのほうが安価であり、まだ再生プレーヤも広く普及している特徴が挙げられ、両者一長一短がある。
【０００４】
上記状況を踏まえると、光ディスクをデジタルビデオカメラの記録媒体として用いる場合には、ＤＶＤとＢＤのどちらも使える仕組みとし、ユーザが状況においてＤＶＤとＢＤを使い分けるといったビデオカメラにすることが望ましい。
【０００５】
但し、ＤＶＤとＢＤとでは、ディスク上の物理アドレス構造、再生信号の符号化方式、データの圧縮方式等、互いに異なる点が多い。このため、それぞれに対応する信号処理システムが要求される。これは、ビデオカメラ内部にＤＶＤとＢＤに対応する二つの信号処理システムを必要とすることを意味し、ハードウェア信号処理回路ブロックの規模が増大する。
【０００６】
この問題に対する解決策の１つとして、記録／再生の信号処理機能をソフトウェアにより実現することが挙げられる。即ち、内部メモリに光ディスクの種類に応じた信号処理のソフトウェアプログラムを保存し、光ディスクの種類によってそれに適したソフトウェアプログラムを自動的に選択する。そうすることで、ハードウェア信号処理回路の規模を増やすことなく、複数の記録媒体に対応することが可能となる。
【０００７】
但し、この方法は静止画を扱うデバイス、例えば、デジタルカメラの場合には適応できるかもしれないが、ビデオカメラには適応できない。
【０００８】
即ち、デジタルビデオカメラは動画データを扱うデバイスであり、動画データは静止画データに比べてデータ量が非常に多く、更にリアルタイムに動画データの記録再生をしなければならないため、高速な信号処理が必要とされる。そのため、ソフトウェアではデジタルビデオカメラに必要な信号処理速度を十分に確保する事ができない。従って、実際のデジタルビデオカメラでは信号処理の多くをハードウェアにより実現しなければならない。
【特許文献１】特開平９−７４５５６号公報
【発明の開示】
【発明が解決しようとする課題】
【０００９】
上述のようにＤＶＤとＢＤでは、ディスク上の物理アドレス構造、再生信号の符号化方式等が全く異なるため、両者の記録媒体に対応するためには、それぞれに対応したハードウェアを内部に備えなければならない。
【００１０】
しかしながら、この方法では、ビデオカメラ内部のハード規模を増大させ、ビデオカメラの価格上昇や本体サイズが大きくなるといった問題を生じる。特に、据え置き型のレコーダと異なり、ビデオカメラは携帯性を高めるために本体の小型化が重要な課題であるため、ハードウェア規模の増大は望ましくなかった。
【００１１】
本発明の目的は、ハードウェア規模が増大することなく、複数の種別の記録媒体に対して情報を記録又は再生が可能な情報記録再生装置を提供することにある。
【課題を解決するための手段】
【００１２】
本発明は、上記目的を達成するため、情報記録媒体に情報を記録又は再生するための変調・復調処理又はエラー訂正処理を行い、且つ、前記記録媒体の種別に対応して変調・復調方式又はエラー訂正方式を変更することが可能な複数の論理回路を有するリコンフィギュアラブル回路と、前記記録媒体の種別を判別する手段と、前記記録媒体の種別に対応して前記リコンフィギュアラブル回路内の変調・復調処理を行う論理回路の構成を示すプログラム又はエラー訂正処理を行う論理回路の構成を示すプログラムを有する記憶手段と、前記判別手段の判別結果に基づいて前記記憶手段の記録媒体の種別に対応するプログラムを選択し、選択されたプログラムに従い前記リコンフィギュアラブル回路内の複数の論理回路の構成を変更し、前記記録媒体の種別に対応する変調・復調回路、又はエラー訂正回路を構築する手段とを備えたことを特徴とする。
【００１３】
本発明においては、情報記録媒体の種別を判別し、記録媒体の種別に対応するプログラムに従いリコンフィギュアラブル回路内の複数の論理回路の構成を変更し、記録媒体の種別に対応する変調・復調回路又はエラー訂正回路を構築する。そうすることで、ハードウェアの規模を増大することなく、複数種別の記録媒体に対応して異なる方式の変調・復調回路やエラー訂正回路を構築することが可能となる。
【発明の効果】
【００１４】
本発明によれば、情報記録媒体の種別に応じて論理回路の構成を変更し、情報記録媒体の種別に対応する変調・復調回路或いはエラー訂正回路を構築することが可能となる。それにより、ハードウェア回路の規模を増やすことなく、複数種類の記録媒体に対して情報を記録又は再生することができる。
【発明を実施するための最良の形態】
【００１５】
次に、添付図面を参照して発明を実施するための最良の形態について詳細に説明する。なお、本実施形態において例示する構成部品の寸法、形状、それらの相対配置等は、本発明を適用する装置の構成や各種条件により適宜変更すべきものであり、本発明はそれらの例示に限定されるものではない。また、以下の実施形態では、ビデオカメラを例として説明するが、本発明の情報記録再生装置はそれに限定されない。
【００１６】
図１は本発明に係るビデオカメラの一実施形態の構成を示すブロック図である。図中１１４は情報記録媒体であるところの光ディスクであり、ビデオカメラ１１５本体に対して交換可能である。光ディスク１１４としては、例えば、ＤＶＤとＢＤの両方を使用できるものとする。
【００１７】
１０１はＣＣＤ（撮像素子）、１０２はＤＲＡＭ（カメラ信号処理用メモリ）、１０３はＤＲＡＭ（ＦＥ／ＢＥ信号処理用メモリ）、１０４はＣＣＤ１０１の信号を処理するカメラ信号処理部、１０５はＩ／Ｆ回路である。これら撮影系の回路等については詳細な説明は省略する。
【００１８】
更に、ビデオカメラ１１５はＤＶＤ用のレーザダイオードとＢＤ用のレーザダイオードを含む光ピックアップ（ＯＰＵ）１１３と、光ピックアップ１１３からの信号を増幅、信号処理するＡＦＥ（アナログフロントエンド回路）１１２を含んでいる。
【００１９】
ＡＦＥ１１２からの信号に基づいて光ディスク１１４がＤＶＤなのかＢＤなのかを検出回路１１１にて判別する。検出回路１１１の判別方法としては、例えば、ＤＶＤとＢＤとでレーザダイオードに対する反射率が異なるため、その結果を利用する方法がある。
【００２０】
例えば、装着された光ディスクに対し、いずれかのレーザダイオードからレーザ光を照射し、その反射光を検出して反射率を演算し、その演算結果に基づいて光ディスクの種類を判別すると良い。
【００２１】
検出回路１１１は光ディスク１１４がＤＶＤ或いはＢＤのいずれであるかを検出する。コントロール回路１０８はその検出結果に基づいて内部不揮発性メモリ１１０に保存しているコンフィギュレーションプログラムから、光ディスク１１４に対応するプログラムデータを選択するようにセレクタ回路１０９に指示する。
【００２２】
内部不揮発性メモリ１１０には、ＤＶＤとＢＤそれぞれに対してリコンフィギュアラブル回路１０６内の論理回路をどのように接続して構築するかを示すプログラム、即ち、論理回路の構成を示すプログラムが格納されている。
【００２３】
コントロール回路１０８は内部不揮発性メモリ１１０からセレクタ回路１０９を介して読み出したプログラムデータに従ってリコンフィギュアラブル回路１０６の論理回路の構築を行う。
【００２４】
リコンフィギュアラブル回路１０６内には、光ディスク１１４の回転制御やデータの読み取り処理を行うフロントエンド（ＦＥ）処理部や、動画・音声データの圧縮・伸長処理等を行うバックエンド（ＢＥ）処理部等を持つ。
【００２５】
本実施形態では、リコンフィギュアラブル回路１０６の情報記録又は再生に関する処理回路の構成をＤＶＤとＢＤにそれぞれ対応して切り換えできる構成としている。ビデオカメラには、例えば、光ディスクに記録する記録信号の変調や光ディスクから再生された再生信号の復調を行う変調回路・復調回路が必要である。
【００２６】
リコンフィギュアラブル回路１０６内には、これら変調・復調回路を構成する複数の論理回路が設けられている。更に、これら論理回路はスイッチ素子等を用いて回路構成を変更することが可能であり、媒体の種別に対応して異なる方式の変調・復調回路を構築することが可能である。
【００２７】
例えば、光ディスクがＤＶＤと判別された場合には、この論理回路の構成を変更し、ＤＶＤ用のＭＰＥＧ２変調・復調回路を構築することが可能である。この場合、上述のように不揮発性メモリ１１０内には、ＤＶＤとＢＤに対応して論理回路の構成を示すコンフィギュレーシュンプログラムが格納されている。
【００２８】
ＤＶＤと判別された場合には、コントロール回路１０８は不揮発性メモリ１１０内のＤＶＤに対応するプログラムに従って論理回路の構成を変更し、ＤＶＤ用のＭＰＥＧ２変調・復調回路を構築する。
【００２９】
一方、ＢＤと判別された場合には、それに対応して論理回路の構成を変更し、ＢＤ用のＨ．２６４変調・復調回路を構築する。この場合も、コントロール回路１０８はＢＤに対応するプログラムに従って論理回路の構成を変更し、ＢＤ用のＨ．２６４変調・復調回路を構築する。
【００３０】
また、エラー訂正を行うエラー訂正回路（ＥＣＣ処理回路）に関しても、同様に論理回路の構成を変更することでＤＶＤ用のエラー訂正回路と、ＢＤ用のエラー訂正回路を構築することが可能である。
【００３１】
この場合も、リコンフィギュアラブル回路１０６内にはエラー訂正回路を構成する複数の論理回路が設けられ、更に、この論理回路はスイッチ素子等を用いて構成を変更することが可能である。
【００３２】
更に、不揮発性メモリ１１０内には、ＤＶＤとＢＤに対応してエラー訂正回路の構成を示すコンフィギュレーシュンプログラムが格納されている。
【００３３】
光ディスクがＤＶＤと判別された場合には、コントロール回路１０８は不揮発性メモリ１１０内のＤＶＤに対応するプログラムに従って論理回路の構成を変更し、ＤＶＤ用のエラー訂正回路を構築する。また、光ディスクがＢＤと判別された場合には、コントロール回路１０８は同様にＢＤに対応するプログラムに従って論理回路の構成を変更し、ＢＤ用のエラー訂正回路を構築する。
【００３４】
このように本発明に係るビデオカメラ１１５は、光ディスクの種別に応じて変調・復調回路或いはエラー訂正回路の構成を変更する。そうすることで、ハードウェアの回路規模が増大することなく、複数種類の光ディスクに対して情報の記録や再生を行うことが可能となる。
【００３５】
なお、変調・復調回路とエラー訂正回路に関して、論理回路の構成を変更することでＤＶＤとＢＤ用の回路を構築すると説明したが、本発明はこの限りではない。フロントエンド（ＦＥ）処理部内の回路に関しても同様に論理回路の構成を変更することで、ハードウェアの構成を簡単化することが可能である。
【００３６】
また、記録媒体としてＤＶＤやＢＤに限るものではなく、本発明はそれ以外の光ディスクも使用可能である。例えば、ＣＤとＤＶＤを使用することが可能である。その場合にも、全く同様にリコンフィギュアラブル回路１０６内に対象となる回路を構成するのに必要な多数の論理回路をスイッチ素子等を用いて構成を変更できるようにしておく。
【００３７】
また、不揮発性メモリ１１０内には、ＣＤとＤＶＤに対応して対象となる回路の構成を示すコンフィギュレーシュンプログラムを格納しておく。そして、ＣＤとＤＶＤに対してそれぞれ対応するプログラムに従って論理回路の構成を変更することによりＣＤ用とＤＶＤ用の回路を構築する。
【００３８】
更に、ＣＤとＤＶＤを用いる場合、記録媒体を判別する際にレーザダイオードに対する反射率による判別が困難であるならば、その光ディスク上の物理アドレスの違いを利用して媒体を判別しても良い。即ち、ディスクのフォーマットの違いからディスクの種別を容易に判別できる。
【００３９】
また、上述のようにリコンフィギュアラブルに必要なリコンフィギュアラブルプログラムは内部不揮発性メモリ１１０に保存されている。その際、そのデータはインターネット等を経由して、或いはパソコン等の外部機器からダウンロードして、データを書き換えても良い。更に、光ディスクからデータを読み出しても良いし、或いは他の記録メディア（例えば、カード型メモリ等）からデータを読み出す等してデータの書き換えを行うことも可能である。
【００４０】
図２は本発明に係るビデオカメラの外観を示す斜視図である。図中２０１は光ディスク１１４を収納する光ディスク収納部であり、蓋の開閉によって光ディスクを交換することが可能である。ビデオカメラ１１５内には光ディスク収納部２０１の開閉を制御する開閉制御部が設けられている。
【００４１】
図３は本発明の開閉制御部を含む実施形態を示すブロック図である。図３では図１と同一部分には同一符号を付している。また、図３では図１に対して一部のみ示しており、ＣＣＤ１０１、ＤＲＡＭ１０２、１０３、カメラ信号処理部１０４、Ｉ／Ｆ回路１０５等は省略している。
【００４２】
図３において、光ディスク収納部２０１の開閉を制御する開閉制御部を３０２とし、ＭＰＵ１０７により開閉制御部３０２を制御するシステムとする。
【００４３】
光ディスク１１４の光ディスク収納部３０１への出し入れは電源オン時のみ可能であり、電源オフ時には光ディスク収納部２０１の蓋の開閉をロックする。即ち、光ディスク収納部２０１には図示しないロック機構が設けられており、上述のように開閉制御部３０２の制御により電源オン時のみロック機構を解除して光ディスク１１４を交換可能とする。電源オフ時にはロック機構により光ディスク収納部２０１の蓋をロックする。また、電源をオフする際にはＭＰＵ１０７が光ディスク１１４の種類を内部不揮発性メモリ１１０にデータとして記憶させておく。
【００４４】
一方、ビデオカメラの電源をオンする際には、ＭＰＵ１０７は内部不揮発性メモリ１１０から光ディスクの種類を示すデータを読み出す。それに従って、ＡＦＥ１１２経由で検出回路１１１が光ディスクの種類を検出するよりも早く、セレクタ回路１０９を制御し、リコンフィギュアラブル回路１０６の論理回路の構築が可能となる。
【００４５】
また、電源オン時において、一度、リコンフィギュアラブル回路１０６の論理回路の構築を行うと、その後、光ディスクの種類が変わらなければリコンフィギュアラブル回路１０６の論理回路の再構築を行う必要は無い。
【００４６】
このため、電源オン時において光ディスク収納部２０１の蓋の開閉制御を行う開閉制御部３０２の制御をＭＰＵ１０７により行う時に合わせて検出回路１１１の制御を行う。即ち、電源オン時のみ検出回路１１１により光ディスク１１４の判別を行い、光ディスク交換時のみリコンフィギュアラブル回路１０６の論理回路構築を行う。
【００４７】
図４、図５は各々本発明の他の実施形態を示すブロック図である。図４、図５では図１と同一部分には同一符号を付している。また、図４、図５では図１に対して一部のみ示しており、ＣＣＤ１０１、ＤＲＡＭ１０２、カメラ信号処理部１０４、Ｉ／Ｆ回路１０５等は省略している。
【００４８】
光ディスクのＦＥ／ＢＥ信号処理部において、一般にＦＥよりもＢＥの回路規模がはるかに大きい。また、ＦＥ内においては再生／記録信号の変調・復調回路、エラー訂正回路（ＥＣＣ信号処理部）は他の回路ブロックに比べて回路規模的に大きい。
【００４９】
このため、図４に示すようにＢＥ部とＦＥ部の回路規模が比較的大きいブロックのみをリコンフィギュアラブルとしても良い。これをリコンフィギュアラブルＦＥ−１／ＢＥ４０１として示す。また、４０２はＦＥ−２であり、ＦＥ部のその他の比較的小さい回路ブロックを示す。
【００５０】
リコンフィギュアラブルＦＥ−１／ＢＥ４０１内には、図１の説明と同様に変調・復調回路或いはエラー訂正回路等を構成する多数の論理回路が設けられている。そして、光ディスクの種別に応じて多数の論理回路の接続を切り換えることで、ＤＶＤ用の変調・復調回路やエラー訂正回路或いはＢＤ用の変調・復調回路やエラー訂正回路を構成する。これは、図１の説明と同様である。
【００５１】
また、図５に示すようにＢＥ回路部のみをリコンフィギュアラブルＢＥ５０１とし、ＦＥ部は論路回路の再構成ができないＩＣチップ５０２とすることも、全体の回路規模を最適化する上では有効である。この場合も、図１と同様に複数の論理回路の接続を切り換えることにより、ＤＶＤ用の変調・復調回路やエラー訂正回路或いはＢＤ用の変調・復調回路やエラー訂正回路を構成する。
【００５２】
なお、図５ではＦＥの内部に複数の記録媒体それぞれに対応する論理回路を並列に持たなければならない。即ち、ＩＣチップ５０２の内部にＤＶＤ用ＦＥ、ＢＤ用ＦＥとして示すようにＤＶＤ、ＢＤそれぞれに対応する論理回路を並列に持つ必要がある。
【図面の簡単な説明】
【００５３】
【図１】本発明に係るビデオカメラの一実施形態を示すブロック図である。
【図２】本発明に係るビデオカメラの外観を示す斜視図である。
【図３】本発明の他の実施形態を示すブロック図である。
【図４】本発明のＢＥとＦＥの一部をリコンフィギュアラブル回路とする実施形態を示すブロック図である。
【図５】本発明のＢＥをリコンフィギュアラブル回路とする実施形態を示すブロック図である。
【符号の説明】
【００５４】
１０１  ＣＣＤ（撮像素子）
１０２  ＤＲＡＭ（カメラ信号処理用メモリ）
１０３  ＤＲＡＭ（ＦＥ／ＢＥ信号処理用メモリ）
１０４  カメラ信号処理部
１０５  Ｉ／Ｆ回路
１０６  リコンフィギュアラブル回路
１０７  ＭＰＵ
１０８  コントロール回路（ＣＴＲＬ）
１０９  セレクタ回路（ＳＥＬ）
１１０  不揮発性メモリ
１１１  検出回路
１１２  ＡＦＥ（アナログフロントエンド回路）
１１３  光ピックアップ（ＯＰＵ）
１１４  光ディスク
１１５  ビデオカメラ
２０１  光ディスク収納部
３０２  開閉制御部
４０１  リコンフィギュアラブルＦＥ−１／ＢＥ
４０２  ＦＥ−２
５０１  リコンフィギュアラブルＢＥ
５０２  ＩＣチップ
【図１】
2007141310.tif 000003
【図２】
2007141310.tif 000004
【図３】
2007141310.tif 000005
【図４】
2007141310.tif 000006
【図５】
2007141310.tif 000007